(57)【要約】      （修正有）【課題】オモリ挿入孔に挿入しマグネットに吸着しているオモリの落下を防ぐとともに、当該オモリを指先で容易に引き抜くことができるように改良してなる測傾器を提供する。【解決手段】支柱１に不使用時のオモリ２６の挿入孔３１を設け、該挿入孔３１に挿入したオモリ２６を吸着するためのマグネットを前記挿入孔３１内に固定したものであって、前記オモリ２６は、前記支柱１の挿入孔３１内において前記マグネットに吸着したとき、前記挿入孔３１上方へ所要の長さ突出するように形成するとともに、その突出端となるオモリ２６上部に当該オモリ２６の指先による引き抜きを容易にするための滑り止め把持部４０を設ける。【選択図】図１
0003206667.tif 000002
【実用新案登録請求の範囲】
【請求項１】
支柱に不使用時のオモリの挿入孔を設け、該挿入孔に挿入されたオモリを吸着するためのマグネットを前記挿入孔内に固定したものであって、前記オモリは、前記支柱の挿入孔内において前記マグネットに吸着されたとき、前記挿入孔上方へ所要の長さ突出するように形成されるとともに、その突出端となるオモリ上部に当該オモリの指先による引き抜きを容易にするための滑り止め把持部を設けたことを特徴とする測傾器。
【請求項２】
前記滑り止め把持部は、円柱状に形成されたオモリの上端に、当該オモリの幅径よりも大きな環状のフランジ部によって形成されてなる請求項１記載の測傾器。
【請求項３】
前記滑り止め把持部は、円柱状に形成されたオモリの上端外周に環状の条溝を所定の間隔を置いて複数設けてなる請求項１記載の測傾器。
【請求項４】
前記滑り止め把持部は、円柱状に形成されたオモリの上端よりも下方側位置において、断面略円弧凹状の括れ部が対向位置に一対もしくは全周に設けてなる請求項１記載の測傾器。
【考案の詳細な説明】
【技術分野】
【０００１】
本考案は、例えば建築現場等で柱や壁面等の垂直度及び梁や床面等の水平度を測定するのに使用される測傾器に関する。
【背景技術】
【０００２】
従来、この種の測傾器としては、例えば特許文献１に開示されているように、床から１メートル程度の柱や壁面等の垂直度及び梁や床面等の水平度を精度良く計測できる測傾器が提案されている。
【０００３】
ところで、前記特許文献１には、支柱上端と、該支柱下端よりやや上方に、上部腕および下部腕とを水平に各固着してなる側面視略Ｆ字型タイプと、支柱上端と下端に、上部腕および下部腕を水平に各固着してなる側面視略コ字型タイプの２種の側傾器が記載されている。
【０００４】
そして、前記両タイプの側傾器は、いずれも前記下部腕の長手方向に物指の嵌合凹溝と長孔とが各設けられ、前記嵌合凹溝内に、長孔と目盛を各設けた物指が摺動自在に嵌合されるとともに、前記物指の長孔に、細長孔を穿設した指標体が摺動自在に嵌合して形成されており、且つ前記上部腕下面に止着した条体は前記指標体の細長孔と物指及び下部腕の各長孔を挿通させ、その条体下端にオモリが下部腕下側のスペース内に吊持されるように構成されている。尚、前記オモリは表面がツヤツヤして滑らかな円柱状の金属部材（鉄材）にて形成され市販されている。
【先行技術文献】
【特許文献】
【０００５】
【特許文献１】実用新案登録第３０６８２７９号公報
【考案の概要】
【考案が解決しようとする課題】
【０００６】
しかしながら、前記した特許文献１においては、測傾器の不使用時に、金属製のオモリを格納する部分が無いことから、当該オモリが金属製の側傾器本体やその近傍にある他の硬質部材等に接触（衝突）したり、あるいはダンボール箱や袋等に収納する場合にも、オモリはむき出しの状態で測傾器本体と一緒に容れられることが多いため当該側傾器本体（例えば支柱）との接触（衝突）で表面に傷が付き易く正確な計測に支障を来す虞があった。
【０００７】
そこで、本考案は、叙上のような従来存した諸事情に鑑み創出されたもので、側傾器本体を構成する支柱にオモリの挿入孔を設け、該挿入孔に挿入したオモリをマグネットで強固に吸着されるようにするとともに、オモリを指先で容易に引き抜くことができるように当該オモリ上部を改良してなる測傾器を提供することを目的とする。
【課題を解決するための手段】
【０００８】
上述した課題を解決するために、本考案にあっては、支柱に不使用時のオモリの挿入孔を設け、該挿入孔に挿入されたオモリを吸着するためのマグネットを前記挿入孔内に配設したものであって、前記オモリは、前記支柱の挿入孔内において前記マグネットに吸着されたとき、前記挿入孔上方へ所要の長さ突出するように形成されるとともに、その突出端となるオモリ上部に当該オモリの指先による引き抜きを容易にするための滑り止め把持部を設けたことを特徴とする。
【０００９】
前記滑り止め把持部は、円柱状に形成されたオモリの上端に、当該オモリの幅径よりも大きな環状のフランジ部によって形成されてなる。
【００１０】
また、前記滑り止め把持部は、円柱状に形成されたオモリの上端外周に環状の条溝を所定の間隔を置いて複数設けることで形成されてなる。
【００１１】
さらに、前記滑り止め把持部は、円柱状に形成されたオモリの上端よりも下方側位置において、断面略円弧凹状の括れ部が対向位置に一対もしくは全周に設けることで形成されてなる。
【考案の効果】
【００１２】
本考案によれば、支柱に設けられた挿入孔にオモリを挿入することで、不使用時に当該オモリが側傾器本体やその他の硬質部材に接触（衝突）して傷付くのを防止することができるとともに、挿入孔内でマグネットで吸着されているオモリをその上部に形成された滑り止め把持部を指先で摘んで引っ張ることでマグネットの吸着力に抗して容易に引き抜くことができる。
【００１３】
すなわち、本考案は、支柱に不使用時の際のオモリの挿入孔を設け、該挿入孔に挿入されたオモリを吸着するためのマグネットを前記挿入孔内に配設したものであって、前記オモリは、前記支柱の挿入孔内において前記マグネットに吸着されたとき、前記挿入孔上方へ所要の長さ突出するように形成されるとともに、その突出端となるオモリ上部に当該オモリの指先による引き抜きを容易にするための滑り止め把持部を設けたので、前記オモリの挿入孔からの落下を防止することができるのはもちろん、使用時あるいはオモリを新しいものと交換する際等に滑り止め把持部を指先で摘んで引っ張ることでオモリ表面で指先が滑らずに容易且つ確実に当該オモリを挿入孔からマグネットの吸着力に抗して引き抜くことができる。
【００１４】
前記滑り止め把持部は、円柱状に形成されたオモリの上端に当該オモリの幅径よりも大きな環状のフランジ部によって形成されてなるので、フランジ部を指先で係止させるように摘んで引っ張ることで、容易且つ確実に挿入孔からオモリをマグネットの吸着力に抗して引き抜くことができる。
【００１５】
前記滑り止め把持部は、円柱状に形成されたオモリの上端外周に環状の条溝を所定の間隔を置いて複数設けてなるので、溝条を指先で摘んで引っ張ることで、指先が溝条で係止された状態となって、滑らずに容易且つ確実にオモリを挿入孔からマグネットの吸着力に抗して引き抜くことができる。
【００１６】
前記滑り止め把持部は、円柱状に形成されたオモリの上端よりも下方側位置において、断面略円弧凹状の括れ部が対向位置に一対もしくは全周に設けてなるので、括れ部を指先で摘んで引っ張ることで、指先が括れ部で係止された状態となって、滑らずに容易且つ確実にオモリを挿入孔からマグネットの吸着力に抗して引き抜くことができる。
【図面の簡単な説明】
【００１７】
【図１】本考案を実施するための一形態を示す垂直度測定時の斜視図である。
【図２】不使用時においてオモリの挿入孔にオモリを挿入した状態の斜視図である。
【図３】オモリの挿入孔の詳細構造を示す断面図である。
【図４】同じくオモリの挿入孔にオモリを挿入した状態を示す断面図である。
【図５】オモリの具体的形状の一例を示すもので、（ａ）は上面図、（ｂ）は正面図、（ｃ）は下面図、（ｄ）は（ｂ）のＡ−Ａ断面図である。
【図６】オモリの具体的形状の他の例を示すもので、（ａ）は上面図、（ｂ）は正面図、（ｃ）は下面図、（ｄ）は（ｂ）のＢ−Ｂ断面図である。
【図７】オモリの具体的形状の更に他の例を示すもので、（ａ）は上面図、（ｂ）は正面図、（ｃ）は下面図、（ｄ）は（ｂ）のＣ−Ｃ断面図である。
【図８】オモリの挿入孔に対向する背面板内側に配設される、マグネットを収容したキャップの外面図である。
【図９】同じくオモリの挿入孔に対向する背面板内側に配設される、マグネットを収容したキャップの内面図である。
【図１０】側面視略Ｆ字型（脚部を有するタイプ）の測傾器の使用時の一例を示す側面図である。
【図１１】側面視略コ字型の測傾器の使用時の一例を示す側面図である。
【図１２】側面視略Ｆ字型（脚部を有するタイプ）の測傾器において、物差を引き出した状態を示す側面図である。
【図１３】図１２のＤ−Ｄ拡大断面図である。
【図１４】側面視略コ字型の測傾器による他の使用状態を示すもので、（ａ）は床面が無傾斜状態、（ｂ）は床面が右傾斜状態、（ｃ）は床面が左傾斜状態にあるときの各側面図である。
【考案を実施するための形態】
【００１８】
以下、図面を参照して本考案の実施の一形態を詳細に説明する。
【００１９】
本考案において、測傾器を構成する支柱１は、正面板１Ａ、背面板１Ｂ及び両側面板１Ｃにて所定の長さの横断面形状が横長の扁平四角筒状に形成されている。尚、当該支柱１はアルミニウム、真鍮、その他の金属材でも良い。
【００２０】
本考案の側傾器は、支柱１の上端に前方へ所要長さ直交して突出するよう固着された金属板からなる上部腕２と、支柱１の下端よりやや上方、すなわち支柱１を床面Ｑに立てたときに後述するオモリ２６が無接触状態で吊持可能なスペースＳを有するよう前方へ上記上部腕２と平行にブラケット４にて支持固定された金属板からなる下部腕３とを具備している側面視略Ｆ字型タイプ（図１、図２、図１０、図１２参照）と、下部腕３が支柱１の下端に前記上部腕２と平行に設けた側面視略コ字型タイプ（図１１、図１４参照）とがある。
【００２１】
そして、前記側面視略Ｆ字型タイプでは、支柱１の下方が所定長さの脚部に形成されるとともに、該脚部下端に支持板２７が設けられている。また、前記支持板２７後部には当接片２７Ａが所定の長さ突出して設けられ、支柱１の上部後方にも前記脚板の突出長さと同長となるようブラケット２８が設けられている。これによって、使用時において測傾器の支柱１を柱Ｐ等に当接したとき、当該支柱１の背面板１Ｂと前記柱Ｐ等が等間隔で保持されるように設定される（図１０、図１２参照）。
【００２２】
一方、側面視略コ字型タイプの場合は、支柱１の両端に固着した上部腕２と下部腕３との各先端を柱Ｐ等に直接当接させる（図１１参照）。この側面視略コ字型タイプでは、所轄の建築指導要綱等によって柱Ｐの傾斜測定位置は床面Ｑから目盛板９の底辺までを所定の高さ（例えば２１．５ｃｍ）上方で垂直度を測定するよう規定されている場合に用いられる。また、前記側面視略コ字型タイプは床面Ｑの水平度を計測するのに好適である。この詳細は後述する。
【００２３】
而して、前記下部腕３は図１、図２及び図１０、図１２、図１３に示したように、上面の長手方向に沿って目盛板９がラックピニオン機構１４により摺動自在に係合され、ピニオンと連結した調整摘み１５を回動操作することにより、前記ラックピニオン機構１４を介して当該目盛板９が下部腕３内を進退するように構成されている。そして、前記目盛板９の進退後前方の摘み１７を回動操作することにより、当該摘み１７と連結したストッパピン１６先端を目盛板９の側面に形成されたＶ字溝１３に係脱することで、下部腕３に対して目盛板９を所定位置で固定あるいはその解除ができるようになっている。
【００２４】
前記目盛板９は、下部腕３の長手方向中央に形成された長孔（図示省略）と対応するように長孔１０が穿設されるとともに、該長孔１０の両側上面に目盛１１が刻設されている。また、前記長孔１０には透明硬質プラスチック製の指標体２０が摺動自在に嵌合されている。さらに、前記指標体２０には前記長孔１０と直交するように後述する条体２５と略同幅の細長孔２３が穿設されるとともに、該細長孔２３の縦方向両側には指標２４が各刻設されている。
尚、図中１９は下部腕３の上面に設けた基準指標を示す。
【００２５】
一方、前記上部腕２の下面には、例えばプラスチック製の糸等によって形成された条体２５の上端が止着されるとともに、該条体２５の下端には使用時前記指標体２０の細長孔２３、目盛板９の長孔１０及び下部腕３の長孔（図示省略）を順次挿通して金属製（鉄製）のオモリ２６が下部スペースＳ内で吊持される。そして、上部腕２に対する条体２５の取付位置は、支柱１を垂直に立てたとき、下部腕３の各孔を挿通した条体２５が図１及び図２に示す基準状態で目盛板９に刻設した目盛１１の０点に一致するようになっている。
【００２６】
ところで、前記上部腕２と下部腕３は図１〜図１１では同長に形成されているが、図１２〜図１４では上部腕２に対して下部腕３が短く形成されており、前記調整摘み１５を回動操作することにより、前記下部腕３から目盛板９を所定の長さｙ突出させることで上部腕２と同長となるよう設定されている（図１３参照）。この場合も前記同様上部腕２の取付位置は、支柱を垂直に立てたとき、条体２５が図１３に示す基準状態で目盛板９に刻設した目盛１１の０点に一致するようになっている。
【００２７】
前記両者とも垂直度、水平度の計測が可能であるが、後者の場合特に水平度を計測するとき作業性に優れていて好適なものである。その理由は後述する。
【００２８】
前記支柱１の正面板１Ａの適宜部位、例えば下方位置にオモリ２６の挿入孔３１が設けられている。このオモリ２６の挿入孔３１は、側面視略Ｆ字型タイプでは下部腕３の下方位置の正面板１Ａ（柱Ｐ等に対向する面の反対側）に設けられ、側面視略コ字型タイプでは下部腕３の上方位置の背面板１Ｂ（柱Ｐ等に対向する面側）に設けられている。
【００２９】
すなわち、図３に示すように、前記したオモリ２６の挿入孔３１は、支柱１の正面板１Ａにオモリ２６を通す円形の孔部１ｄを設け、該孔部１ｄの内緑に正面視円形のフランジ形状のオモリガイド３２を嵌合固定することによって形成される。この円形のオモリガイド３２の内径はオモリ２６の下部外径と同寸、あるいはやや大き目に形成されている。尚、オモリ２６の詳細は後述する。
【００３０】
支柱１の背面板１Ｂの内側には前記オモリ２６の挿入孔３１と対向するように円形のマグネット３６を配設する。このマグネット３６は前記オモリガイド３２を介して前記挿入孔３１へ挿入されたオモリ２６先端を吸着するものである。
【００３１】
更に詳しく説明すると、図８及び図９に示すように、例えば前記マグネット３６は鉄材を吸着する円盤状のフェライト磁石から成り、中心部に円い取付孔３５が開口されるとともに、前記オモリ２６を吸着する正面を除いて、外周及び背面を覆うようにステンレス材等から成るリング型のキャップ３３が嵌合されている。また、キャップ３３の中心には前記マグネット３６の中心の取付孔３５と対向し、且つ取付孔３５よりやや小径の円い支持孔３４が開口され、この支持孔３４には支柱１の背面板１Ｂの内側に突設された係止突起１ｅが嵌合される。
【００３２】
このようにしてマグネット３６を収納したキャップ３３の支持孔３４に、前記支柱１の背面板１Ｂの内側に突設された係止突起１ｅが嵌合固定され、前記キャップ３３の抜脱を防止している。そして、支柱１の正面板１Ａのオモリ２６の挿入孔３１へ前記オモリガイド３２を介して差し入れられたオモリ２６は支柱１の背面板１Ｂの内側に設けられたマグネット３６に先端が当接する位置まで挿入され、当該マグネット３６の磁力によってオモリ２６は吸着される（図４参照）。
【００３３】
尚、オモリ２６は円柱状が好適であるが、必ずしもこれに限られるものではなく、例えば角柱状等でも良い。また、オモリ２６は全体をマグネット３６に吸着される鉄製にて形成されるが、マグネット３６に接触する下端を鉄製とし、その他の部分を他の素材にて形成しても良い。さらに、オモリ２６は、支柱１のオモリ２６の挿入孔３１に挿入され、当該オモリ２６がマグネット３６に吸着されたとき、前記オモリ２６の挿入孔３１のオモリガイド３２の上方より上端部分が突出する長さに形成されている。そして、図４に示すように、この突出部分であるオモリ２６の上部には引き抜きを容易にするための本考案の滑り止め把持部４０が設けられている。
【００３４】
すなわち、前記オモリ２６の挿入孔３１に挿入されるオモリ２６は表面にクロムメッキを施したツヤツヤした平滑面に形成されているため、当該オモリ２６の挿入孔３１からオモリ２６上部を指先で摘んで抜き取る場合に指先が非常に滑り易いものである。しかも、オモリ２６は挿入孔３１の下面に配されたマグネット３６に吸着されている上部を摘んで引き抜くには鉄製のオモリ２６の重さもあって相当な力が必要で多大な労力を要するものである。
【００３５】
そこで、本考案では、マグネット３６の吸着力及び重さに対抗して表面が平滑な金属製のオモリ２６を挿入孔３１から容易に指先で摘んで引き抜くことができるように滑り止め把持部４０をオモリ２６上端に形成したものである。
【００３６】
次に、以上のオモリ２６の形状の具体例について詳細に説明する。
【００３７】
図４及び図５に示すように、前記滑り止め把持部４０として機能するフランジ部４１は、円柱状のオモリ２６の外径よりも若干大きい円板状の「摘み部」としてオモリ２６の上端に一体に設けてある。尚、このフランジ部４１をネジ込み式で別体に設けても良い。
【００３８】
滑り止め把持部４０の他の例として、図６に示すように、円柱状のオモリ２６の上端外周に滑り止め用の環状の条溝４２を上下に所定の間隔を置いて複数設けても良い。
【００３９】
滑り止め把持部４０の更に他の例として、図７に示すように、円柱状のオモリ２６の上端よりも下方側位置に、断面略円弧凹状の一対の括れ部（凹部）４３を対向形成するか、もしくは全周に設けるかして、この括れ部の上方を指先で摘めるようにしても良い。
【００４０】
その他、円筒体上端にネジ部を設け、このネジ部にナットを螺着することによりこのナットを指先で摘めるようにすることもできる（不図示）。
【００４１】
さらに、図４、図５、図６、図７に示すように、オモリ２６の上端中央には条体２５を固定するためのネジ式の固定具５１を設けている。この固定具５１としては中心部に条体２５を通す縦孔５２が開設されている。この縦孔５２は上部が条体２５の細幅な通し孔５３、下部が条体２５下端を結んだ状態で係止する幅広な係止孔５４とを備えている。その他、オモリ２６を条体２５の下端に固着できるものであれば足り、例えばリング状の止め金具等をオモリ２６の上面に設けても良い。
【００４２】
尚、図示例では柱Ｐ等の垂直度を計測するものとして説明されているが、支柱１の中央に気泡管による水準器２９が設けられ、これによって床面Ｑ（または梁）等の水平度を計測することもできる。
【００４３】
次に、本考案に係る測傾器の使用方法について詳細に説明する。
【００４４】
前記した側面視略Ｆ字型タイプの測傾器によって、建築現場等の柱Ｐの垂直度を測定する場合、先ず、オモリ２６の滑り止め把持部４０を指先で摘み、オモリ２６の挿入孔３１からマグネット３６の吸着力及びオモリ２６自体の重さに対抗して当該オモリ２６を引き抜く。ついで、支柱１下端の当接片２７Ａの底面を床面Ｑに載置することで支柱１を立てる。そして、この支柱１下端の当接片２７Ａと、支柱１上方のブラケット（当接片）２８の両端面を柱Ｐに各当接させ、指標体２０の細長孔２３、目盛板９の長孔１０と下部腕３の不図示の長孔を通って垂下したオモリ２６付きの条体２５が静止したとき、該条体２５により目盛板９の目盛１１を読み取り、これにより１メートルの高さの柱Ｐの垂直度を検出する。
【００４５】
このさい、条体２５が目盛板の目盛１１の０点に一致したとき、すなわち図１３に示すように、当該条体２５が挿入される指標体２０における細長孔２３両側の指標２４と、目盛１１の０点と、前記下部腕３の基準指標１９とが、前記目盛板９の長孔１０に直交する方向で一直線上に配されたとき、柱Ｐは垂直と測定され、一方０点より左右にずれているときは柱Ｐはずれ幅に応じて傾斜度が測定される。
【００４６】
前記した側面視略コ字型タイプの測傾器によって、建築現場等の柱Ｐの垂直度を測定する場合、前記同様に、先ず、前記オモリ２６の滑り止め把持部４０を指先で摘み、前記オモリ２６の挿入孔３１から当該オモリ２６を引き抜く。ついで、支柱１の両端に固着した上部腕２と下部腕３との各先端を柱Ｐ等に直接当接させる。この側面視略コ字型タイプでは、所轄の建築指導要綱等によって柱Ｐの傾斜測定位置は床面Ｑから目盛板９の底辺までを所定の高さ（例えば２１．５ｃｍ）上方で垂直度を測定するよう規定されている。
【００４７】
一方、床面Ｑの水平度を測定する場合は、床面Ｑ上に支柱１の両端の上部腕２と下部腕３の各先端を当接させておいて水準器２９の気泡の位置を読み取る。すなわち、水準器２９の気泡が中央に位置するように、目盛板９の先端を下部腕３内に引き込んだり、あるいは目盛板９の先端を状態からさらに突出させたり、そのときの目盛板９の目盛１１を指標２４と基準指標１９とにより読み取れば、床面Ｑの水平度を検出できる。
【００４８】
前記側面視略コ字型タイプの測傾器において、下部腕３先端から目盛板９を突出させた側傾器を用いて床面Ｑの水平度を測定する場合、既述したように図１４（ａ）では無傾斜状態を示し、図１４（ｂ）では右傾斜状態を示す。図１４（ｃ）では左傾斜状態を示すが、何れの場合も目盛板９側を右サイド（あるいは左サイド）において調整摘み１５を操作しつつ水準器２９の気泡が中央に位置するように調整して計測できる点で作業性が良いものである。
【００４９】
つまり、上、下部腕２、３が同長の場合の側傾器を用いた場合は左右傾斜を計測する毎に側傾器本体を左右逆方向に置き換える必要があるから便宜性が悪い。したがって、水平度を測定する場合は前記側傾器の使用が適している。
【００５０】
因みに、このように水平度を測定する場合、不要なオモリ２６は支柱１の挿入孔３１に挿入しておくとよい。この際、鉄製のオモリ２６はマグネット３６の吸着力により挿入孔３１から抜け落ちることはないからである。
【符号の説明】
【００５１】
Ｐ      柱
Ｑ      床面
Ｓ      スペース
１      支柱
１Ａ    正面板
１Ｂ    背面板
１Ｃ    側面板
１ｄ    孔部
１ｅ    係止突起
２      上部腕
３      下部腕
９      目盛板
１０    長孔
１１    目盛
１３    Ｖ字溝
１４    ラックピニオン機構
１５    調整摘み
１６    ストッパピン
１７    摘み
１９    基準指標
２０    指標体
２３    細長孔
２４    指標
２５    条体
２６    オモリ
２７    支持板
２７Ａ  当接片
２８    ブラケット
２９    水準器
３１    挿入孔
３２    オモリガイド
３３    キャップ
３４    支持孔
３５    取付孔
３６    マグネット
４０    滑り止め把持部
４１    フランジ部
４２    条溝
４３    括れ部
５１    固定具
５２    縦孔
５３    細幅通し孔
５４    係止孔
【図１】
0003206667.tif 000003
【図２】
0003206667.tif 000004
【図３】
0003206667.tif 000005
【図４】
0003206667.tif 000006
【図５】
0003206667.tif 000007
【図６】
0003206667.tif 000008
【図７】
0003206667.tif 000009
【図８】
0003206667.tif 000010
【図９】
0003206667.tif 000011
【図１０】
0003206667.tif 000012
【図１１】
0003206667.tif 000013
【図１２】
0003206667.tif 000014
【図１３】
0003206667.tif 000015
【図１４】
0003206667.tif 000016